(57)【要約】  引出側壁（２）、特に二重壁の引出側壁であって、外側に位置する可視面（３ａ）と、この可視面（３ａ）とは反対側の背面（３ｂ）とを有する外壁（３）を有していて、さらに、取付手段（８ａ，８ｂ）を有するカバー（４）を有しており、この取付手段によってカバーは、外壁（３）の背面（３ｂ）に固定可能であって、カバー（４）の可視区分（４ａ）の後面（１３）は外壁（３ａ）に接触しており、外壁（３）の背面（３ｂ）に、離間した個別の２つの凹部（９ａ，９ｂ）が設けられており、カバー（４）の取付手段は、ばね弾性的な個別の２つのクランプ舌片（８ａ，８ｂ）を含み、クランプ舌片のそれぞれは、カバーキャップ（４）を引出側壁（２）に位置固定して取り付けるために、所属の凹部（９ａ，９ｂ）に係合する。
2021506491.tif 000002
【特許請求の範囲】
【請求項１】
引出側壁（２）、特に二重壁の引出側壁であって、外側に位置する可視面（３ａ）と、前記可視面（３ａ）とは反対側の背面（３ｂ）とを有する外壁（３）を有していて、さらに、取付手段（８ａ，８ｂ）を有するカバー（４）を有しており、前記取付手段によって前記カバーは、前記外壁（３）の前記背面（３ｂ）に固定可能であって、前記カバー（４）の可視区分（４ａ）の後面（１３）は前記外壁（３ａ）に接触している引出側壁（２）において、
前記外壁（３）の前記背面（３ｂ）に、離間した個別の２つの凹部（９ａ，９ｂ）が設けられており、前記カバー（４）の前記取付手段は、ばね弾性的な個別の２つのクランプ舌片（８ａ，８ｂ）を含み、前記クランプ舌片のそれぞれは、前記カバーキャップ（４）を前記引出側壁（２）に位置固定して取り付けるために、対応する凹部（９ａ，９ｂ）に係合することを特徴とする、引出側壁（２）。
【請求項２】
前記外壁（３）の下方の長手方向縁（３ｃ）は実質的にＵ字形に曲げられており、縁曲げ区分（３ｄ）は好適には、前記可視面（３ａ）が設けられた前記外壁（３）の後面に接触しており、前記凹部（９ａ，９ｂ）は前記縁曲げ区分（３ｄ）に形成されている、請求項１記載の引出側壁。
【請求項３】
前記凹部（９ａ，９ｂ）は、前記縁曲げ区分（３ｄ）を貫通する開口部として形成されており、前記開口部は、前記可視面が設けられた前記外壁（３）であって、前記開口部の領域で閉鎖されている前記外壁（３）の前記後面によってカバーされている、請求項２記載の引出側壁。
【請求項４】
前記開口部は、前記外壁（３）の前記縁曲げ区分（３ｄ）の前記長手方向縁まで達していて、前記長手方向縁に向かって開かれている、請求項２または３記載の引出側壁。
【請求項５】
両凹部（９ａ，９ｂ）は、実質的に同じ形状を有しており、好適には長方形に形成されている、請求項１から４までのいずれか１項記載の引出側壁。
【請求項６】
請求項１から５までのいずれか１項記載の引出側壁のためのカバー。
【請求項７】
好適には平坦な可視区分（１１）と、
前記外壁（３）の前記長手方向縁（３ｃ）に被せ嵌め可能である、横断面で見て実質的にＵ字形に成形された接続区分（１２）と、
前記接続区分（１２）に接続されていて、前記可視区分（１１）の前記後面（１３）に対して好適には実質的に平行に延在している２つのばね弾性的なクランプ舌片（８ａ，８ｂ）と、
を有している、請求項６記載のカバー。
【請求項８】
一体的に形成されていて、好適には金属またはプラスチックから成っている、請求項６または７記載のカバー。
【請求項９】
前記２つのばね弾性的なクランプ舌片（８ａ，８ｂ）はそれぞれ、前記カバー（４）の側縁（１４）の領域に配置されている、請求項６から８までのいずれか１項のカバー。
【請求項１０】
前記カバー（４）の前記側縁（１４）と、好適には背面から見て長方形に形成された前記クランプ舌片（８ａ，８ｂ）の側縁（１５）とは平行に延在している、請求項６から９までのいずれか１項のカバー。
【請求項１１】
両クランプ舌片（８ａ，８ｂ）は、実質的に同じに、または鏡像対称的に形成されている、請求項６から１０までのいずれか１項記載のカバー。
【請求項１２】
各クランプ舌片（８ａ，８ｂ）は、その自由端部の領域で、前記可視区分（１１）に向かって突出するクランプ突起（１６）を有している、請求項６から１１までのいずれか１項のカバー。
【請求項１３】
各クランプ突起（１６）は少なくとも１つの傾斜面（１７）を有している、請求項１２記載のカバー。
【請求項１４】
前記傾斜面（１７）は、前記カバー（４）の前記側縁（１４）に対して、好適には２０°〜６０°の角度で傾斜して延在している、請求項１３記載のカバー。
【請求項１５】
前記傾斜面（１７）は、前記カバー（４）の長手方向（１８）に対して、好適には５°〜２０°の角度で傾斜して延在している、請求項１３または１４記載のカバー。
【発明の詳細な説明】
【技術分野】
【０００１】
本発明は、引出側壁、特に二重壁の引出側壁であって、外側に位置する可視面と、この可視面とは反対側の背面とを有する外壁を有していて、さらに、取付手段を有するカバーを有しており、この取付手段によってカバーは、外壁の背面に固定可能であって、カバーの可視区分の後面は外壁に接触している、引出側壁に関する。さらに、本発明は、このような引出側壁のためのカバーに関する。
【０００２】
このような形式のカバーは、引出において、その可視区分に、会社のロゴ、またはその他の情報を表示するために通常用いられる。このカバーは、好適には取り外し可能に、引出に接続されるべきであるが、使用中は良好に保持されなければならない。さらに、引出が、カバーなしでも、美しさをアピールする印象を与えるならば好適である。
【０００３】
このような理由から、取付手段を介して、カバーを外壁の背面に取り付けるように移行されてきており、これにより外壁の外側に位置する可視面には、煩わしい凹部またはその他の取付エレメントを設ける必要はない。
【０００４】
本発明の課題は、引出側壁と所属のカバーとを提供することであり、これによりカバーを簡単に組み付けることができ、さらには引出側壁におけるカバーの位置固定された位置決めを保証することができるようにすることである。
【０００５】
本発明によれば、この課題は、請求項１の特徴を有する引出側壁、および／または請求項６によるカバーによって解決される。
【０００６】
本発明によれば、引出側壁の外壁の背面には、離間した個別の２つの凹部が設けられている。この構成は、主に薄い板から製作される引出側板では、例えば長孔状のより大きな１つの凹部に対して安定性という利点を有している。互いに離間した個別の２つの凹部に対応して、本発明の対象では、カバーに、ばね弾性的な個別の２つのクランプ舌片が設けられていて、これらクランプ舌片のそれぞれ１つは、両凹部のうちの一方に係合し、ひいてはカバーの位置固定された位置決めが可能となる。
【０００７】
本発明によるカバーは、下方から、引出側壁の外壁の下方の長手方向縁に被せ嵌めることができる。引出の長手方向で見て、クランプ舌片の位置が、対応する凹部に既に適合している場合は、クランプ舌片は簡単に凹部に係止し、したがってカバーを位置固定して、正確な位置で引出側壁に取り付け、カバーはここで実質的にクランプ保持される。しかしながら、カバーをまずは、（特に下方から被せ嵌めるために）引出側壁のどこかに取り付け、次いで、クランプ舌片が所属の凹部に係止し、これによりカバーが正確に位置決めされるまで、引出の長手方向で摺動させることもできる。
【０００８】
凹部と、この凹部内に入るクランプ舌片の部分との相対的な寸法設定は、確実な係止を保証するために、クランプ舌片が僅かな側方の遊びをもって進入することができるように選択される。しかしながら、正確な位置決めを保証するために、凹部の寸法は、クランプ舌片の進入する部分よりも過剰に大きくされるべきではない。クランプ舌片の進入する部分に対する凹部の大きさの差により生じる側方の遊びは、好適には、１／１０ｍｍ〜３ｍｍである。
【０００９】
凹部は、好適には、側壁の曲げられた領域に設けられる。ここでは、凹部は、貫通する開口部として形成されてよいが、曲げられた領域のみを貫通しており、側壁の可視面は貫通されずに残されている。このように貫通する凹部は、機械的なプロセス、例えば打抜き加工により比較的簡単に設けることができる。凹部の深さは、正確に規定されていて、縁曲げ区分の材料厚さ（板厚さ）に正確に相当する。凹部が実質的に長方形に形成されていて、縁曲げ区分の長手方向縁に向かって開かれているならば、このような凹部は特に簡単に設けることができる。これにより打抜き加工プロセスは容易になる。長方形によって、規定されたまっすぐな辺も得られ、これらの辺によって、カバーエレメント、または係合するクランプ舌片の正確な位置決めが可能である。
【００１０】
好適には、本発明によるカバーは、組付け状態で引出の外面に位置し、例えば会社のロゴまたはその他の情報を表示することができる、好適には平坦な可視区分を有する。この可視区分には、好適には下方から横断面で見て、実質的にＵ字形に成形された接続区分が続いていて、この接続区分は、外壁の長手方向縁に下方から被せ嵌め可能である。最終的に好適には、両ばね弾性的なクランプ舌片は、接続区分に接続されるように形成されていて、可視区分の後面に対して平行に延在している。
【００１１】
このようなカバーは、例えば金属またはプラスチックから一体に製作することができる。ばね弾性的な構成は、金属薄板またはプラスチック自体の材料特性から得られる。ねじ曲げ防止された組付けを保証するためには、両ばね弾性的なクランプ舌片がそれぞれ、カバーの前端部および後端部に、すなわち互いに大きな間隔を置いて設けられていると好適である。
【００１２】
クランプ舌片は、その自由端部に、好適には、引出側壁の可視区分に向かって突出するクランプ突起を有しており、このクランプ突起は、引出側壁の凹部内に進入し、そこでクランプ保持される。
【００１３】
このクランプ突起が、１つの傾斜面を有しているならば容易な組付けのために好適であり、この場合、特に好適な構成では、この傾斜面が２つの方向で傾いていて、または傾斜していて、一方では引出の長手方向もしくは引出し方向に一致する、カバーの長手方向に対して傾斜している。これにより、カバーが一度、引出側壁の外壁に下方から被せ嵌められた場合に、すなわちまずは完全に不正の位置からでも、カバーを長手方向で摺動させるのが容易にされ、この場合、摺動の際にはまずは第１のクランプ舌片が、第２のクランプ舌片のために設けられた第２の凹部内に入る。上記傾斜面を介して、第１のクランプ舌片は、さらなる摺動により再び第２の凹部から退出することができ、第１のクランプ舌片が最終的に、正しい第１の凹部内で位置保持され、このとき、第２のクランプ突起も第２の凹部内に入り、ここでクランプ保持されるまで摺動される。これにより、長手方向でのカバーの正しい位置が規定される。
【００１４】
傾斜面はさらに、カバーの側縁に対して傾斜して方向付けられており、これにより、引出側壁の外壁の下方の長手方向縁に対する下方からのカバーの容易な被せ嵌めが可能となる。この場合、クランプ舌片はまずは幾分、拡開される。次いで、クランプ突起が凹部に達すると、クランプ突起はクランプするように凹部内にばね弾性的に入り込み、カバーを引出側壁にクランプ保持し、この場合、接続は、摩擦接続的に作用するクランプの他、形状接続的な成分も含み、この場合、凹部の縁部は、係止突起の傾斜されていない縁部との協働、ひいては長手方向におけるカバーの形状接続的な位置決めを保証する。
【００１５】
本発明のさらなる利点および詳細は、以下の図面の説明につき詳しく説明する。
【図面の簡単な説明】
【００１６】
【図１】引出における引出側壁の１つの実施例を示す斜視図である。
【図２】逆さまにされた引出側壁の一部を、まだ組み付けられていないカバーと共に示す図である。
【図３】既に外壁に被せ嵌められてはいるが、まだ正しい位置に位置決めされていないカバーと共に示す図２と同様の図である。
【図４】正しい位置に対してさらに離された個所にある、図２と同様にまだ被せ嵌められていないカバーを示す図である。
【図５】図３と同様に既に被せ嵌められた、図４のカバーを示す図である。
【図６】図３または図５からの摺動により到達可能な、正しく位置決めされたカバーの終端位置を示す図である。
【図６ａ】図６の部分拡大図である。
【図７ａ】本発明によるカバーの１つの実施例を示す斜視図である。
【図７ｂ】本発明によるカバーの１つの実施例を示す別の斜視図である。
【図７ｃ】本発明によるカバーの１つの実施例を示す別の斜視図である。
【図７ｄ】本発明によるカバーの１つの実施例を示す別の斜視図である。
【図８】図７ａ〜図７ｄのカバーを前方から見た図である。
【図９】クランプ突起とその傾斜面とを備えたクランプ舌片を良好に示すために、部分的に破断された可視面を示す斜視図である。
【図１０】図９の一部を示す別の斜視図である。
【００１７】
図１に示された引出１は、二重壁の引出側壁２として形成されている対向する２つの引出側壁２を有している。外壁は符号３で示されており、外側に位置する可視面３ａを有している。この可視面３ａの反対側には、外壁３の背面が位置している。例えば会社のロゴまたはその他の情報を含むことができる可視区分４ａを備えたカバー４は、以下にさらに詳しく説明するように、引出側壁２の外壁３に取り外し可能に接続可能である。
【００１８】
図１に示された引出１はさらに、背壁５と引出底面６とを有している。引出１を完成するために必要な取り外し可能に接続可能なフロントパネルは、見易さの理由から示されていない。フロントパネルは、背壁５に対して平行に、前側で引出１に位置する。
【００１９】
図２には、下面を良好に示すことができるように、逆さまにされた引出１の一部が示されている。実際には勿論、通常の向きの引出１のもとで、下方から上方に向かって、かつ／または引出の長手方向で、カバー４を被せ嵌めることができる。
【００２０】
図４には、カバー４が、被せ嵌め矢印７の方向で、外壁３の下方の長手方向縁３ｃに被せ嵌められる様子が、すなわち、本発明により設けられた個別のばね弾性的なクランプ舌片８ａおよび８ｂが、外壁３の背面３ｂに互いに離間して設けられた個別の２つの凹部９ａ，９ｂと整列していない位置において被せ嵌められる様子が、示されている。
【００２１】
さらに、図３に示したように、カバー４を長手方向縁３ｃに被せ嵌め、次いで、さらにより詳しく後述するように、最終的には図６に示した、正確に規定された所望の終端位置に到達するまで、長手方向矢印１０の方向で摺動させることができる。
【００２２】
カバー４を、図４に示したように、さらに後方で長手方向縁３ｃに被せ嵌め、まずは図５の位置にもたらした場合でも、カバー４を被せ嵌め、長手方向に動かすことができる。図３に示した位置に向かって前方に摺動させる際には、ばね弾性的なクランプ舌片８ａはまず、「不正」の凹部９ｂを克服しなければならず、これは、後述する傾斜面１７により行うことができる。図３に示した位置から出発して、次いでさらに、長手方向矢印１０の方向で、最終的に前方のクランプ舌片８ａが前方の凹部９ａ内に、後方のクランプ舌片８ｂが後方の凹部９ｂ内に係止し、ここでクランプされてかつ／または形状接続により保持されるまで、摺動することができる。これにより、引出側壁２におけるカバー４の正確な長手方向位置が、保証される。
【００２３】
図６および図６ａには、正確に位置決めされたカバー４が示されている。全体を符号３ｂで示す、外壁３の背面では、両クランプ舌片８ａおよび８ｂが、これらクランプ舌片８ａ，８ｂの幅よりも大きく、長手方向で僅かな遊びをもたらしているそれぞれ対応する凹部９ａおよび９ｂ内に係合する。好適にはプラスチックから一体的に製作されたカバー４の材料の弾性に基づき、個別のばね弾性的なクランプ舌片８ａおよび８ｂは、自動的に凹部９ａおよび９ｂ内にスナップ係合し、ここで位置固定されて保持される。
【００２４】
特に図６ａに示したように、外壁３の長手方向縁３ｃは、全体として実質的にＵ字形を形成するように曲げられている。
【００２５】
外壁３の縁曲げ区分３ｄは、好適には、可視面３ａが設けられた外壁３の後面に接触していて、これにより外壁３の背面３ｂを形成している。縁曲げにより、鋭い縁部領域を有さない、長手方向縁３ｃの安定的な構成が可能である。さらに、本発明の１つの構成により縁曲げ区分３ｄに、凹部９ａおよび９ｂを良好に設けることができ、すなわち例えば打抜きにより形成することができる貫通開口部として設けることができる。このような打抜きは、縁曲げ区分３ｄでのみ行われ、可視面３ａを含むその他の外壁３は、この開口部をカバーし、これにより実際には開口部の底面を成すので、側壁全体は貫通されず、開口部は全体として凹部９ａおよび９ｂとなる。これらの凹部９ａ，９ｂは実質的に、折り曲げられた材料の薄板の厚さに相当する正確に規定された深さを有する。図６ａに示したように、これらの開口部は、縁曲げ区分３ｄの縁部にまで達し、すなわちそこで開かれているように形成されている。
【００２６】
開口部は、好適には同じ形状で形成されていて、長方形であり、この場合、各辺は、長手方向縁３ｃに対して平行かつ垂直に延在している。
【００２７】
本発明によるカバー４の１つの実施例が、図７ａ〜図７ｄならびに図８、図９、図１０に示されている。
【００２８】
この実施例では、好適には平坦な（組付け状態で外側に位置する）可視区分１１が設けられている。この可視区分１１には、実質的にＵ字形に成形された接続区分１２が続いていて、この接続区分は、外壁３の長手方向縁３ｃに被せ嵌め可能である。さらに本発明によれば２つのばね弾性的なクランプ舌片８ａおよび８ｂが設けられていて、これらクランプ舌片は接続区分１２に接続されていて、可視区分１１の後面１３に対して実質的に平行に延在している。クランプ舌片８ａおよび８ｂは好適には、カバー４のその他の構成要素と一体的に形成されていてよく、材料弾性によりばね弾性的な効果を有している。
【００２９】
２つのばね弾性的なクランプ舌片８ａおよび８ｂはそれぞれカバー４の側縁１４の領域に配置されており、この場合、これらの間に位置する自由領域が生じている。組み付けられたカバー４のねじ曲げ防止の観点から、ばね弾性的なクランプ舌片８ａ，８ｂの大きく互いに離されたこのような配置が好適である。ばね弾性的なクランプ舌片は、全体として、カバー４の側方の縁部にまで達しており、カバー４の側縁１４と、クランプ舌片８の側縁１５とは好適には互いに平行に延在している。
【００３０】
各クランプ舌片８ａ，８ｂは、その自由端部の領域に、可視区分１１に向かって突出するクランプ突起１６を有している（特に図８、図９、および図１０参照）。
【００３１】
クランプ突起１６は、図８に示したように、一方では好適には、側縁１４に対して２０°〜６０°の角度で傾斜して延在する傾斜面１７を有している。これにより、例えば図２のように、被せ嵌め矢印７の方向でのカバー４の被せ嵌めは容易にされる。この場合、ばね弾性的に形成されたクランプ舌片８ａおよび８ｂはまず、最終的に図６もしくは図６ａに示された終端位置で、凹部９ａおよび９ｂ内に係止することができるまで、曲げ開かれる。
【００３２】
他方では、複数の部分面から形成することもできる傾斜面１７は、他の方向でも傾斜して延在しており、すなわちカバー４の長手方向１８に対して傾斜して延在している。この長手方向１８は、引出の長手方向、および外壁３の長手方向縁３ｃの方向に一致している。この傾斜により、図５から出発して、図６に到ることができ、この場合、まず凹部９ｂに不正に係止したクランプ舌片８ａは、長手方向矢印１０の方向でさらに押されると、傾斜面１７が凹部９ｂからの退出を可能にするので、凹部９ｂから再び出ることができる。これにより、最初は不正に長手方向縁３ｃに完全に被せ嵌められたカバー４であっても常に、正しいクランプ舌片８ａ，８ｂが、正しい凹部９ａ，９ｂ内に係止し、ひいては規定された位置決めが得られるまで、長手方向で摺動させることができる。これは原則的に、カバー４の長手方向１８に対する傾斜面１７の傾斜は、両クランプ舌片８ａおよび８ｂにおいて、両クランプ舌片８ａ，８ｂの間の仮想中心平面に対して鏡像対称的に形成されているので、後方から前方への（すなわち引出１の引出し方向での）カバー４のスライドによってのみならず、前方から後方への、すなわち逆方向でのスライドによっても長手方向で摺動させることができる。
【符号の説明】
【００３３】
１  引出
２  引出側壁
３  外壁
３ａ  （外壁３の）可視面
３ｂ  （外壁３の）背面
３ｃ  （外壁３の）長手方向縁
３ｄ  （外壁３の）縁曲げ区分
４  カバー
４ａ  （カバー４の）可視区分
５  背壁
６  引出底面
７  被せ嵌め矢印
８ａ，８ｂ  クランプ舌片（取付手段）
９ａ，９ｂ  凹部
１０  長手方向スライド矢印
１１  可視区分
１２  接続区分
１３  後面
１４  （カバー４の）側縁
１５  （クランプ舌片８ａ，８ｂの）側縁
１６  クランプ突起
１７  傾斜面
１８  （カバー４の）長手方向
【図１】
2021506491.tif 000003
【図２】
2021506491.tif 000004
【図３】
2021506491.tif 000005
【図４】
2021506491.tif 000006
【図５】
2021506491.tif 000007
【図６】
2021506491.tif 000008
【図６ａ】
2021506491.tif 000009
【図７ａ】
2021506491.tif 000010
【図７ｂ】
2021506491.tif 000011
【図７ｃ】
2021506491.tif 000012
【図７ｄ】
2021506491.tif 000013
【図８】
2021506491.tif 000014
【図９】
2021506491.tif 000015
【図１０】
2021506491.tif 000016
【国際調査報告】
2021506491.tif 000017
2021506491.tif 000018
2021506491.tif 000019
2021506491.tif 000020
2021506491.tif 000021